(57)【要約】【課題】  録画状況とスケジュールとを容易に把握することのできるスケジュール表示装置を提供する。【解決手段】  表示画面作成部１０ｂは、録画予約もしくは録画番組に係る録画番組アイコン４１ａ乃至４１ｄと、スケジュールアイコン４２ａ乃至４２ｄとを、共通の時間軸で並べたスケジュール表示画面４０を作成し、ディスプレイ１３に表示させる。さらに、録画番組と関係のない、番組表についてはスケジュール表示画面４０上には表示しない。【選択図】      図４
2007221345.tif 000002
【特許請求の範囲】
【請求項１】
スケジュール情報を入力するスケジュール入力手段と、
録画情報を記憶する記憶手段と、
前記スケジュール入力手段で入力されたスケジュール情報に基づくスケジュールアイコ
ンと、前記記憶手段に記憶された録画情報に基づく録画番組アイコンとを、共通の時間軸
で並べた表示画面を表示装置に表示する表示手段と
を備え、
前記表示手段は、前記表示画面上に番組表を表示しないこと
を特徴とするスケジュール表示装置。
【請求項２】
前記表示手段は、前記表示画面上に、複数の日付に係る前記スケジュールアイコン及び
前記録画番組アイコンを表示すること
を特徴とする請求項１記載のスケジュール表示装置。
【請求項３】
前記表示手段は、前記表示画面を表示している際に前記スケジュールアイコンが選択さ
れると、当該スケジュールと同じ時間帯に係る番組表を表示すること
を特徴とする請求項１記載のスケジュール表示装置。
【請求項４】
前記スケジュール入力手段は、他の機器からの無線通信によりスケジュール情報を入力
すること
を特徴とする請求項１記載のスケジュール表示装置。
【請求項５】
前記スケジュール入力手段は、前記他の機器とＯｂｊｅｃｔ  Ｐｕｓｈ  Ｐｒｏｆｉｌ
ｅによるＢｌｕｅｔｏｏｔｈ（登録商標、以下同様）通信によりスケジュール情報を入力することを特徴とする請求項４記載のスケジュール表示装置。
【請求項６】
前記表示手段は、前記第１の表示画面を表示している際に前記スケジュールアイコンが
選択されると、当該スケジュールの詳細を表示すること
を特徴とする請求項１記載のスケジュール表示装置。
【請求項７】
前記スケジュールデータ入力手段は、複数のユーザに係るスケジュール情報を入力し、
前記表示手段は、特定のユーザに係る前記スケジュールアイコンだけを前記表示画面上
に表示すると共に、全ユーザに係る録画予約の前記録画番組アイコンを前記表示画面上に
表示すること
を特徴とする請求項１記載のスケジュール表示装置。
【請求項８】
前記記憶手段は、録画情報をユーザ毎に記憶し、
前記表示手段は、特定のユーザに係る前記スケジュールアイコンだけを前記表示画面上
に表示すると共に、当該ユーザ以外に係る録画済みの前記録画番組アイコンを前記表示画
面上に表示しないこと
を特徴とする請求項７記載のスケジュール表示装置。
【請求項９】
他の無線通信装置と無線通信し、前記他の無線通信装置からスケジュール情報を受信す
る無線通信手段と、
録画情報を記憶する記憶手段と、
前記無線通信手段で入力されたスケジュール情報に基づくスケジュールアイコンと、前
記記憶手段に記憶された録画情報に基づく録画番組アイコンとを、共通の時間軸で並べた
表示画面を表示装置に表示する表示手段と
を備え、
前記表示手段は、前記表示画面を表示している際に前記スケジュールアイコンが選択さ
れると、当該スケジュールと同じ時間帯に係る番組表を表示すること
を特徴とするスケジュール表示装置。
【請求項１０】
請求項９記載のスケジュール表示装置において、
ユーザが操作し、スケジュール情報を入力する操作手段
をさらに備え、
前記無線通信手段は、前記操作手段により入力されたスケジュール情報を前記他の無線
通信装置に送信すること
を特徴とするスケジュール表示装置。
【請求項１１】
前記無線通信手段は、複数の前記他の無線通信装置からスケジュール情報を受信し、
前記表示手段は、特定の前記他の無線通信装置に係るスケジュールアイコンだけを前記
表示画面上に表示すること
を特徴とする請求項９記載のスケジュール表示装置。
【請求項１２】
前記記憶手段は、前記他の無線通信装置毎に録画情報を記憶し、
前記表示手段は、特定の前記他の無線通信装置に係る前記スケジュールアイコンだけを
前記表示画面上に表示すると共に、全ての前記他の無線通信装置に係る録画予約の前記録
画番組アイコンを前記表示画面上に表示すること
を特徴とする請求項１１記載のスケジュール表示装置。
【請求項１３】
前記表示手段は、特定前記他の無線通信装置に係る前記スケジュールアイコンだけを前
記表示画面上に表示すると共に、当該他の無線通信装置以外に係る録画済みの前記録画番
組アイコンを前記表示画面上に表示しないこと
を特徴とする請求項１２記載のスケジュール表示装置。
【請求項１４】
前記無線通信手段は、前記他の無線通信装置とＢｌｕｅｔｏｏｔｈ通信することを特徴とする請求項９記載のスケジュール表示装置。
【発明の詳細な説明】
【技術分野】
【０００１】
本発明は、スケジュールを表示装置に表示するスケジュール表示装置に関する。
【背景技術】
【０００２】
近年、番組表を表示する際に他の行動スケジュールを確認することができる番組表表示
装置が考えられている（例えば、特許文献１参照）。特許文献１には、番組表を表示する
際に、スケジュールと並べて番組表を表示する番組表表示装置が開示されている。これに
より、特許文献１記載の番組表表示装置では、放送時間帯に他の予定が入っていたかを確
認するために、いちいち携帯端末のスケジュール表を見比べて確認せずとも、試聴予約を
することができる。
【特許文献１】特開２００３−２３００６４号公報
【発明の開示】
【発明が解決しようとする課題】
【０００３】
しかしながら特許文献１記載の手法では、スケジュールと番組表とを並べて表示するの
で、スケジュールを表示する分だけ表示量が増え画面が煩雑となる。表示装置に表示でき
る画素数は限られているので、例えば一度に多数の日付について表示することができない
等の課題があった。特にＴＶ（Ｔｅｌｅｖｉｓｉｏｎ）に表示する際には、ＴＶは通常あ
まり解像度が高くないため、この課題は顕著となる。
【０００４】
そこで本発明は、録画状況とスケジュールとを容易に把握することのできるスケジュー
ル表示装置を提供することを目的とする。
【課題を解決するための手段】
【０００５】
上記目的を達成するために、請求項１記載のスケジュール表示装置は、スケジュール情
報を入力するスケジュール入力手段と、録画情報を記憶する記憶手段と、前記スケジュー
ル入力手段で入力されたスケジュール情報に基づくスケジュールアイコンと、前記記憶手
段に記憶された録画情報に基づく録画番組アイコンとを、共通の時間軸で並べた表示画面
を表示装置に表示する表示手段とを備え、前記表示手段は、前記表示画面上に番組表を表
示しないことを特徴とする。
【０００６】
請求項９記載のスケジュール表示装置は、他の無線通信装置と無線通信し、前記他の無
線通信装置からスケジュール情報を受信する無線通信手段と、録画情報を記憶する記憶手
段と、前記無線通信手段で入力されたスケジュール情報に基づくスケジュールアイコンと
、前記記憶手段に記憶された録画情報に基づく録画番組アイコンとを、共通の時間軸で並
べた表示画面を表示装置に表示する表示手段とを備え、前記表示手段は、前記表示画面を
表示している際に前記スケジュールアイコンが選択されると、当該スケジュールと同じ時
間帯に係る番組表を表示することを特徴とする。
【発明の効果】
【０００７】
本発明によれば、録画状況とスケジュールとを容易に把握することのできるスケジュー
ル表示装置を提供することができる。
【発明を実施するための最良の形態】
【０００８】
以下、本発明のスケジュール表示装置について、図面を参照しながら説明する。
【実施例１】
【０００９】
図１は、本発明のスケジュール表示装置の実施例に係るテレビジョン（以下ＴＶ）が使
用されるシステムの例を示す図である。本システムは、ＴＶ１と、携帯電話２ａ、２ｂ、
２ｃとから構成される。
【００１０】
ＴＶ１は、チューナで受信した放送を表示する。また、ＴＶ１は録画機能も有しており
、ユーザが録画予約した放送を、内蔵するＨＤＤに記憶する。
更に、ＴＶ１は携帯電話２ａ、２ｂ、２ｃとＯＰＰ（Ｏｂｊｅｃｔ  Ｐｕｓｈ  Ｐｒｏ
ｆｉｌｅ）によるＢｌｕｅｔｏｏｔｈ（登録商標、以下同様）通信を行い、各携帯電話からスケジュール情報を受信し、これと録画情報（録画済の情報及び録画予約の情報）とから、表示画面を作成する機能を有する。
【００１１】
尚ＴＶ１は、スケジュール情報を送信する携帯電話の違いによりユーザの違いを認識す
る。携帯電話１からスケジュール情報を受信した際には、携帯電話１のユーザのスケジュ
ール、及び携帯電話１のユーザが入力した録画済の番組、全ユーザの録画予約の番組を一
度に表示させる制御を行う。詳細は後述する。
【００１２】
更に、ＴＶ１は操作部を有し、ユーザはこの操作部を操作して直接スケジュールを入力
することができる。ここで入力されたスケジュール情報は、ＯＰＰによるＢｌｕｅｔｏｏ
ｔｈ通信により、携帯電話に送信することができる。
【００１３】
携帯電話２ａ乃至２ｃは、其々ＯＰＰによるＢｌｕｅｔｏｏｔｈ通信に対応した携帯電
話端末である。携帯電話２ａ乃至２ｃは、其々ユーザがスケジュールを入力できるように
なっており、ユーザはこのスケジュール情報をＴＶ１に送信することにより、ＴＶ１にス
ケジュールを表示させることができる。また、携帯電話２ａ乃至２ｃは、ＴＶ１に直接入
力されたスケジュール情報をＴＶ１から受信することも可能である。
【００１４】
携帯電話２ａ乃至２ｃは、其々同様の機能を有するので、以下、携帯電話２ａについて
説明を行う。
図２は、ＴＶ１の構成を示す図である。
ＴＶ１は、制御部１０と、チューナ部１１と、ＨＤＤ（Ｈａｒｄ  Ｄｉｓｋ  Ｄｒｉｖ
ｅ）１２と、ディスプレイ１３と、表示制御部１４と、操作部１５と、Ｂｌｕｅｔｏｏｔ
ｈ通信部１６とを有する。
【００１５】
制御部１０は、例えばＣＰＵ（Ｃｅｎｔｒａｌ  Ｐｒｏｃｅｓｓｉｎｇ  Ｕｎｉｔ）や
メモリ等から構成されており、プログラムを実行してＴＶ１を構成する各構成要素を制御
する制御部である。
【００１６】
また、放送波に付加された番組情報であるＥＰＧ（Ｅｌｅｃｔｒｏｎｉｃ  Ｐｒｏｇｒ
ａｍ  Ｇｕｉｄｅ）をチューナ部１１で受信した放送波から取得し、ＨＤＤ１２に番組表
情報１２ａとして記憶するＥＰＧ情報取得部１０ａとしても制御部１０は機能する。
【００１７】
更に、制御部１０は表示画面作成部１０ｂとしても機能し、後述する番組表情報１２ａ
や録画情報１２ｂ、スケジュール情報１２ｃ等に基づいて、ディスプレイ１３に表示する
表示画面を作成する。作成する表示画面については後述する。
【００１８】
尚図示しないが、制御部１０は、チューナ部１１で受信したストリームデータをＨＤＤ
１２に録画データ１２ｄとして録画する際のエンコード処理、録画データ１２ｄを再生す
るためのデコード処理等も行うものとする。これらの処理については、専用のＩＣ（Ｉｎ
ｔｅｇｒａｔｅｄ  Ｃｉｒｃｕｉｔ）を設けて処理しても良いし、ソフトウェアで処理し
ても良い。
【００１９】
チューナ部１１は、アンテナ３で受信した放送波から、所望のチャネルの映像データ及
び音声データであるストリームデータを出力する。チューナ部１１が出力するストリーム
データの形式としては、例えばＭＰＥＧ−２（Ｍｏｖｉｎｇ  Ｐｉｃｔｕｒｅ  Ｅｘｐｅ
ｒｔｓ  Ｇｒｏｕｐ  ｐｈａｓｅ  ２）等が考えられる。チューナ部１１から出力したス
トリームデータは、制御部１０でデコードされ、表示制御部１４を経てディスプレイ１３
に映像として表示される。
【００２０】
ＨＤＤ１２は、番組表情報１２ａ、録画情報１２ｂ、スケジュール情報１２ｃ等の各種
情報や、録画した録画データ１２ｄを記憶する記憶媒体である。
番組表情報１２ａは、先述の通り、放送波に付加された付加情報からＥＰＧ情報取得部
１０ａが取得、作成したものであり、例えば取得日以降８日間の間に各チャネルで放送さ
れる番組に関する情報である。表示画面作成部１０ｂがディスプレイ１３に表示する、後
述する番組表７０は、番組表情報１２ａから表示画面作成部１０ｂが作成する。
【００２１】
録画情報１２ｂは、録画した録画データ１２ｄ、及び録画予約に関する情報である。図
３は、録画情報１２ｂの例を示す図である。
図３の例では、各録画番組に対し、録画済か録画予約か、当該録画予約を入力したユー
ザの端末名、番組名、チャネル、日付、開始時刻及び終了時刻が録画情報１２ｂとして記
載されている。表示画面作成部１０ｂは録画情報１２ｂを参照することにより、例えば番
組名「録画済番組１」については、既に録画済であり、この録画を設定したのは端末「携
帯電話１」のユーザであり、また、この番組は１２月１１日に２０：００−２１：３０に
Ｃｈ１で放送されたものである、という情報を得ることができる。
【００２２】
表示画面作成部１０ｂは、録画情報１２ｂ及びスケジュール情報１２ｃに基づいて、表
示画面を作成する。この表示画面については、図４を参照しながら後述する。
スケジュール情報１２ｃは、携帯電話２ａ乃至２ｃから、Ｂｌｕｅｔｏｏｔｈ通信部１
６で受信することにより、又は操作部１５を操作してユーザにより直接入力される。この
スケジュール情報１２ｃは、開始時間、終了時間、場所、詳細、サマリ等の１つの予定に
係る情報に対して各ユーザ（即ち、ユーザの使用する携帯電話）と対応付けた情報を、複
数纏めたものである。
【００２３】
表示画面作成部１０ｂは、当該スケジュール情報に基づいて、図４を参照して後述する
スケジュール画面４０を作成する。
録画データ１２ｄは、録画情報１２ｂ内の録画予約の情報に基づいて、制御部１０がＨ
ＤＤ１２に録画、記憶したストリームデータである。この録画データ１２ｄは、制御部１
０がデコードすることにより、ディスプレイ１３上に映像を表示することができる。
【００２４】
尚、録画データ１２ｄについては、録画情報１２ｂ内に、「録画済み」として其々項目
を有する。換言すれば、録画情報１２ｂ内に「録画済み」として項目を有するものについ
ては、録画データ１２ｄとしてＨＤＤ１２内に記憶されている。図３の例であれば、ＨＤ
Ｄ１２は録画データ１２ｄとして、「録画済番組１」「録画済番組Ａ」「録画済番組２」
「録画済番組Ｂ」を記憶している。
【００２５】
ディスプレイ１３は、例えばＬＣＤ（Ｌｉｑｕｉｄ  Ｃｒｙｓｔａｌ  Ｄｉｓｐｌａｙ
）やＳＥＤ（Ｓｕｒｆａｃｅ−ｃｏｎｄｕｃｔｉｏｎ  Ｅｌｅｃｔｒｏｎ−ｅｍｉｔｔｅ
ｒ  Ｄｉｓｐｌａｙ）、ＣＲＴ（Ｃａｔｈｏｄｅ  Ｒａｙ  Ｔｕｂｅ）等であり、映像を
表示する出力インタフェースである。表示画面作成部１０ｂで作成された表示画面は、デ
ィスプレイ１３が表示する。
【００２６】
表示制御部は、ディスプレイ１３が映像を表示する際に、表示制御するためのインタフ
ェースである。
操作部１５は、ユーザからの入力を受け付ける入力インタフェースである。例えば操作
ボタンやリモコン（リモートコントローラ）からの赤外線信号を受信するリモコンインタ
フェース等が挙げられる。
【００２７】
Ｂｌｕｅｔｏｏｔｈ通信部１６は、携帯電話２ａ乃至２ｃとＯＰＰによるＢｌｕｅｔｏ
ｏｔｈ通信を行うための無線通信インタフェースである。携帯電話２ａ等からのスケジュ
ール情報は、Ｂｌｕｅｔｏｏｔｈ通信部１６で受信する。さらに、スケジュール情報１２
ｃを携帯電話２ａ等に送信する場合にも、Ｂｌｕｅｔｏｏｔｈ通信部１６がスケジュール
情報１２ｃを送信する。
【００２８】
次に、図４乃至図７を参照しながら、表示画面作成部１０ｂが作成する表示画面につい
て説明する。尚、以下の説明において、ユーザの使用する携帯電話は携帯電話２ａであり
、この携帯電話２ａは録画情報１２ｂ中で携帯電話１に対応するものとする。また、操作
日は１２月１４日（水）とする。
【００２９】
図４は、表示画面作成部１０ｂが作成するスケジュール表示画面４０の例を示す図であ
る。スケジュール表示画面４０は、１２月１１日（日）から１２月１７日（土）について
、１４時から２１時までのユーザのスケジュール及び録画状況を示すものである。操作日
である１２月１４日（水）は、他の日付とは別の色に塗られ、他の日付から区別できるよ
うになっている。
【００３０】
表示画面４０上には、録画予約及び録画済みの番組に関する録画番組アイコン４１ａ、
４１ｂ、４１ｃ、４１ｄと、スケジュールアイコン４２ａ、４２ｂ、４２ｃ、４２ｄと、
カーソル４３とが表示される。ここで、表示画面４０上には、録画に関係ない番組に関す
る番組表は表示されていないことに注意されたい。
【００３１】
尚、録画番組アイコン４１ａ乃至４１ｄと、スケジュールアイコン４２ａ乃至４２ｄと
は、共通の時間軸に沿って並列に配置されている。これにより、ユーザは各スケジュール
と録画状況との対応を容易に把握することができる。
【００３２】
カーソル４３は、ユーザが操作部１５を操作することにより移動させることができる。
つまり、図４のスケジュール表示画面４０ではスケジュールアイコン４２ｃ上にあるが、
ユーザは操作部１５を操作することで、カーソル４３を他のアイコン上に移動させること
ができる。
【００３３】
尚、カーソル４３を左若しくは右に移動させることにより、１３時よりも前の時間、若
しくは２２時よりも後の時間について、スケジュール表示画面４０上に表示させることが
可能である。即ちスケジュール表示画面４０上には、一度に表示される時間帯は１日の一
部であるが、カーソルを移動させれば、表示されていない時間帯についても表示させるこ
とができ、結果として全時間帯についてユーザは確認することができる。
【００３４】
録画番組アイコン４１ａ乃至４１ｄは、先述の通り録画情報１２ｂを参照して表示画面
作成部１０ｂが作成するアイコンである。
録画番組アイコン４１ａ、４１ｂは、録画済の番組に係るアイコンであり、其々番組名
は「録画済番組１」「録画済番組２」である。これらは、図３の録画情報１２ｂを参照す
ればわかるように、携帯電話１に関連付けられた番組である。番組情報１２ｂに含まれる
データの内、携帯電話１には対応付けられていない録画済番組Ａ及び録画済番組Ｂについ
てはスケジュール表示画面４０上に表示されない。
【００３５】
即ち、スケジュール表示画面４０は、他の携帯電話に係る録画済番組の録画番組アイコ
ンを有さない。これにより、関係ないユーザのデータが表示されることにより煩雑な画面
となることを避けることができる。
【００３６】
尚、録画済の番組に係る録画番組アイコン４１ａ又は４１ｂ上にカーソル４３移動させ
て選択した場合には、制御部１０は当該アイコンに対応する録画データ１２ｄを読込み、
再生処理した映像をディスプレイ１３上に表示する。
【００３７】
録画番組アイコン４１ｃ、４１ｄは、録画予約の番組に関するアイコンであり、其々番
組名は「録画予約番組１」「録画予約番組２」である。これらは、図３の録画情報１２ｂ
を参照すればわかるように、前者は携帯電話１に対応付けられているが、後者は他の携帯
電話（携帯電話２）に対応付けられたものである。即ち、録画予約に係る録画番組アイコ
ンについては、全ての携帯電話に対応付けられた番組についてスケジュール表示画面４０
上に表示される。
【００３８】
スケジュールアイコン４２ａ乃至４２ｄは、先述のように、携帯電話２ａからＢｌｕｅ
ｔｏｏｔｈ通信部１６で受信し、又は操作部１５でのユーザの操作により作成したスケジ
ュール情報１２ｃを参照して表示画面作成部１０ｂが作成するアイコンである。尚、スケ
ジュール情報１２ｃは先述した通り複数のユーザに関するスケジュールの情報を含んでい
るが、表示画面作成部１０ｂは、スケジュール表示画面４０上に携帯電話２ａに対応付け
られたスケジュールのみを表示する。
【００３９】
図５は、図４のスケジュール表示画面４０上でスケジュールアイコン４２ｃを選択した
場合に、表示画面作成部１０ｂが表示するスケジュール表示画面４０の例を示す図である
。スケジュールアイコンを選択すると、図５に示すように、当該アイコンに対応するスケ
ジュールの詳細を、スケジュールウィンドウ４４として表示する。
【００４０】
図５の例では、スケジュール表示画面４０は、スケジュールウィンドウ４４上に、「予
定３」の時間帯が２００５年１２月１５日１５：００〜１７：３０であり、場所が「場所
３」であること、その詳細は「○○氏と会議。」であることを記載している。
【００４１】
図６は、図４のスケジュール表示画面４０上で、スケジュールアイコン４２ｃ上にカー
ソル４３が位置している場合であって、ユーザがメニューボタンを押した場合に、表示画
面作成部１０ｂが作成するスケジュール表示画面４０の例を示す図である。
【００４２】
図６に示すように、スケジュールアイコン上にカーソルが位置する状態でメニューボタ
ンをユーザが押すと、表示画面作成部１０ｂはメニューウィンドウ４５を表示する。図６
の例では、表示画面作成部１０ｂは、メニューウィンドウ４５上には、「日付指定ジャン
プ」及び「番組表を表示」の２項目を表示している。
【００４３】
図７は、図６のスケジュール表示画面４０のメニューウィンドウ４５上で、ユーザが「
番組表を表示」を選択した場合に、表示画面作成部１０ｂがディスプレイ１３上に表示す
る番組表７０の例を示す図である。
【００４４】
図７の例では、表示画面作成部１０ｂは、番組表７０として、ＣＨ１からＣＨ７で放送
される、１２時から１９時までの番組の番組表を表示している。このとき、表示画面作成
部１０は、スケジュールアイコン４２ｃに係る予定３の時間１５：３０から１７：３０が
ほぼ中心に来るように番組表７０に表示する時間帯を設定する。
【００４５】
ユーザは操作部１５を操作して番組を選択すれば、制御部１０は当該の番組を予約録画
するために録画情報１２ｂを更新する。このように構成することにより、スケジュールと
重なる部分について容易に録画できるようになる。
【００４６】
特に、表示画面作成手段１０ｂはスケジュールと重なる部分がほぼ中央に来るように番
組表７０を表示するので、ユーザはスケジュールと重なる番組の把握がより用意になる。
【００４７】
続いて、図８乃至図１０を参照して、携帯電話２ａが表示する表示画面について説明を
行う。
図８は、携帯電話２ａが表示するスケジュール一覧の表示画面８０の例を示す図である
。図８の例では、１２月１４日（水）のスケジュールとして、１５：００−１６：００の
「予定１」と、１８：３０−２１：００の「予定２」の２つのスケジュールが示されてい
る。
【００４８】
また、表示画面８０上にはこれらの項目を選択するためのカーソル８１が表示され、ユ
ーザは携帯電話２ａが有する操作部を操作してこのカーソル８１を上下に移動させること
ができる。図８の例では、カーソル８１は、「予定１」の項目上にある。
【００４９】
図９は、図８の表示画面８０を表示した状態で、ユーザが「メニュー」を選択した場合
に携帯電話２ａが表示する表示画面８０の例を示す図である。図９の例では、携帯電話２
ａは図８の表示画面８０上にメニューバルーンウィンドウ８２を表示し、その中に項目と
して「１  新規登録」「２  削除」「３  Ｂｌｕｅｔｏｏｔｈ送信」を表示している。
【００５０】
ユーザが「１  新規登録」」を選択すると、ユーザは携帯電話２ａに新たなスケジュー
ルを登録することができる。また、「２  削除」をユーザが選択すると、カーソル８１の
ある「予定１」が削除される。「３  Ｂｌｕｅｔｏｏｔｈ送信」をユーザが選択すると、
携帯電話２ａは図１０に示す機器選択画面１００を表示する。
【００５１】
図１０は、図９の表示画面でユーザが「Ｂｌｕｅｔｏｏｔｈ送信」を選択した際に携帯
電話２ａが表示する表示画面である機器選択画面１００の例を示す図である。図１０の機
器選択画面１００では、ユーザはスケジュール情報を送信する相手機器を選択する。ユー
ザが機器選択画面１００上でカーソル１０１を移動させて選択した機器に、携帯電話２ａ
は当該スケジュール（即ち、カーソル８１がある「予定１」）のスケジュール情報を送信
する。
【００５２】
尚、携帯電話２ａは図１０の機器選択画面１００で、スケジュール情報を送信可能な機
器の機器名称とそのＢｌｕｅｔｏｏｔｈアドレスとを並べた項目のリストを表示している
。より具体的には、Ｂｌｕｅｔｏｏｔｈアドレス「００：００：００：００：００：０１
」を持つＴＶ１、Ｂｌｕｅｔｏｏｔｈアドレス「００：００：００：００：００：０２」
を持つ機器２、Ｂｌｕｅｔｏｏｔｈアドレス「００：００：００：００：００：０３」を
持つ機器３、Ｂｌｕｅｔｏｏｔｈアドレス「００：００：００：００：００：０４」を持
つ機器４を項目として携帯電話２ａは表示している。
【００５３】
次に、図１１及び図１２を参照しながら、携帯電話２ａからＴＶ１にスケジュール情報
を送信する際の処理について説明する。
図１１は、携帯電話２ａがＴＶ１にスケジュール情報を送信する際の処理の流れを示す
図である。尚、ＴＶ１から携帯電話２ａへスケジュール情報を送信することもできるが、
その場合も同様の処理（但し、送信側と受信側は逆）となる。
【００５４】
ユーザが図８の表示画面８０でスケジュールを選択し、図９の表示画面８０で「Ｂｌｕ
ｅｔｏｏｔｈ送信」を選択した上で図１１の機器選択画面１００で送信機器（ここではＴ
Ｖ１）を選択すると（Ｓ１１１）、携帯電話２ａは、ＴＶ１にＯＰＰ接続要求を送信する
（Ｓ１１２）。尚、ＴＶ１のＢｌｕｅｔｏｏｔｈアドレスが図１０の表示画面上に表示さ
れていることからもわかるように、接続対象であるＴＶ１のＢｌｕｅｔｏｏｔｈアドレス
は予め携帯電話２ａに登録されているので、接続可能な機器のＢｌｕｅｔｏｏｔｈアドレ
スを知るためのインクワイアリ等の処理は本実施例では不要である。
【００５５】
ＴＶ１は、Ｂｌｕｅｔｏｏｔｈ通信部１６でこのＯＰＰ接続要求を携帯電話２ａから受
信すると、接続応答を返す（Ｓ１１３）。これにより、携帯電話２ａ及びＴＶ１の間でＯ
ＰＰによるＢｌｕｅｔｏｏｔｈ接続が確立する。
【００５６】
ＯＰＰによるＢｌｕｅｔｏｏｔｈ接続が確立すると、携帯電話２ａはＯｂｊｅｃｔ  Ｐ
ｕｓｈ要求をＴＶ１に送信する（Ｓ１１４）。このＯｂｊｅｃｔ  Ｐｕｓｈ要求は、スケ
ジュール情報をＴＶ１に送信するものである。
【００５７】
図１２は、Ｓ１１４で携帯電話２ａが送信するデータであるｖＣａｌｅｎｄａｒデータ
１２１の例を示す図である。ＯＰＰでは、スケジュール情報をやり取りする際には、ｖＣ
ａｌｅｎｄａｒという形式を使用することが定められている。
【００５８】
ｖＣａｌｅｎｄａｒデータ１２１は、最初に「ＢＥＧＩＮ：ＶＣＡＬＥＮＤＡＲ」、最
後に「ＥＮＤ：ＶＣＡＬＥＮＤＡＲ」と記載される。また、「ＢＥＧＩＮ：ＶＣＡＬＥＮ
ＤＡＲ」の次にバージョン情報として、「ＶＥＲＳＩＯＮ：２．０」と記載されている。
これに続いて、スケジュールデータ１２２が記載される。
【００５９】
１つのスケジュールに係るスケジュールデータ１２２は、「ＢＥＧＩＮ：ＶＥＶＥＮＴ
」と「ＥＮＤ：ＶＥＶＥＮＴ」の間に記載される。スケジュールデータ１２２の中には、
当該スケジュールの開始時刻、終了時刻などの情報が記載される。
【００６０】
図６の例では、ＳＵＭＭＡＲＹとして「予定１」と記載されており、詳細情報（ＤＥＳ
ＣＲＩＰＴＩＯＮ）は「○○氏と打合せ。」、場所（ＬＯＣＡＴＩＯＮ）は「場所１」、
開始時刻（ＤＴＳＴＡＲＴ）は２００５年１２月１４日１５時００分００秒（２００５１
２１４Ｔ１５００００）、終了時刻（ＤＴＥＮＤ）は２００５年１２月１４日１６時００
分００秒（２００５１２１４Ｔ１６００００）であることがわかる。
【００６１】
ＴＶ１は、当該スケジュールデータ１２２内の情報を、これを送信した携帯電話２ａと
対応付けたものを、スケジュール情報１２ｃの１つの項目として記憶する。
尚、本実施例では携帯電話２ａはスケジュールデータ１２２として１つのスケジュール
しかｖＣａｌｅｎｄａｒデータ１２１内に記載していないが、複数のスケジュール情報を
入れるようにしても良い。
【００６２】
以上説明したように、本実施例によれば、スケジュール表示画面４０上で、録画番組ア
イコン４１ａ乃至４１ｄと、スケジュールアイコン４２ａ乃至４２ｄとを共通の時間軸で
並べている。これにより、スケジュールと録画状況との対応を容易に把握することができ
る。
【００６３】
通常ユーザは予定が入っている時間帯は番組の視聴できないので、当該予定と重複する
時間帯について録画を必要とする。本実施例では、何らかの予定が入っている場合に、当
該予定と重複する番組の予約録画を設定しているかどうかを容易に把握することが可能で
ある。
【００６４】
ここで特に、スケジュール表示画面４０上には、録画に関係ない番組表は表示していな
いので、スケジュール表示画面４０が煩雑となることを避け、比較的シンプルな画面とな
り、ユーザの識別性を向上させることができる。
【００６５】
さらに、番組表等を表示せずに表示情報量を減らすことにより、複数の日付についての
スケジュール及び録画情報を表示できるようになるので、スケジュールや録画状況を複数
の日付に渡って把握することができるようになる。
【００６６】
また、スケジュールアイコンを選択（本実施例では、メニューボタン押下及び「番組表
を表示」を選択、が選択動作に相当）した場合に、当該スケジュールを中心とした番組表
が表示される。これにより、ユーザはスケジュールと重複する部分についての番組を容易
に把握可能であり、録画予約の利便性を向上させることができる。
【００６７】
本実施例では、スケジュール情報のやり取りはＯＰＰによるＢｌｕｅｔｏｏｔｈ通信に
より行われる。ＯＰＰは、スケジュール情報をｖＣａｌｅｎｄａｒで送受信すること、及
び送受信の通信手順について定めており、ＯＰＰにより通信を行うことで、同じＯＰＰを
使用する機器間で、ある程度互換性を持たせることができるようになる。
【００６８】
尚、スケジュールについては常に把握する必要があるため、ユーザは携帯電話やＰＤＡ
等の可搬性の媒体で持ち歩くことが多い。本実施例では、スケジュールの入力については
、可搬性の装置である携帯電話２ａで入力し、これを無線通信によりＴＶ１に表示させる
ことができるので、両方に同じスケジュールを入力する等の手間を避けることができる。
【００６９】
また、可搬性の媒体は有線接続するためのコネクタ等を有さないことが多いが、本実施
例では無線通信によりスケジュール情報のやり取りを行うので、コネクタのない装置にも
適用することが可能である。
【００７０】
尚、スケジュール情報１２ｃについては携帯電話２ａ乃至２ｃから送信する場合のみな
らず、操作部１５を操作しても入力することが可能である。これにより、入力手段の多様
性を図ることができ、ユーザの利便性を向上させることができる。
【００７１】
また、スケジュール情報１２ｃをＴＶ２から携帯電話２ａへ送信できるので、ＴＶ２で
入力したスケジュールについても携帯電話２ａで確認することができる。
本実施例では、複数のユーザに対応しており、録画情報１２ｂやスケジュール情報１２
ｃはユーザに対応付けて情報を管理している。表示画面４０上では、録画済の番組に係る
録画番組アイコン及びスケジュールアイコンは、当該ユーザのものだけを表示するので、
他のユーザに関する情報を表示させず、表示画面を煩雑にすることを避けることができる
。
【００７２】
また、予約録画については、全ユーザに係る録画番組アイコンを表示する。通常、チュ
ーナ１１で受信可能な放送は有限であるので、他のユーザに係る録画予約の情報も表示す
ることで、当該時間帯に録画することができるかどうかをユーザは認識できるようになる
。
【００７３】
尚、本実施例では携帯電話２ａからスケジュール情報を送信しているが、これに限られ
るものではなく、例えばＰＤＡやノートＰＣ等であっても良い。
【図面の簡単な説明】
【００７４】
【図１】本発明の実施例１に係るＴＶが使用されるシステムの構成を示す図。
【図２】本発明の実施例１に係るＴＶの構成を示す図。
【図３】本発明の実施例１に係るＴＶが記憶する録画情報の例を示す図。
【図４】本発明の実施例１に係るＴＶが表示する表示画面の例を示す図。
【図５】本発明の実施例１に係るＴＶが表示する表示画面の例を示す図。
【図６】本発明の実施例１に係るＴＶが表示する表示画面の例を示す図。
【図７】本発明の実施例１に係るＴＶが表示する表示画面の例を示す図。
【図８】本発明の実施例１に係るＴＶと通信する携帯電話の表示画面の例を示す図。
【図９】本発明の実施例１に係るＴＶと通信する携帯電話の表示画面の例を示す図。
【図１０】本発明の実施例１に係るＴＶと通信する携帯電話の表示画面の例を示す図。
【図１１】本発明の実施例１に係るＴＶと携帯電話とが通信する際の処理の流れを示す図。
【図１２】本発明の実施例１に係るＴＶと携帯電話とが通信するデータの例を示す図。
【符号の説明】
【００７５】
１・・・ＴＶ
２ａ、２ｂ、２ｃ・・・携帯電話
３・・・アンテナ
１０・・・制御部
１０ａ・・・ＥＰＧ情報取得部
１０ｂ・・・表示画面作成部
１１・・・チューナ部
１２・・・ＨＤＤ
１２ａ・・・番組表情報
１２ｂ・・・録画情報
１２ｃ・・・スケジュール情報
１２ｄ・・・録画データ
１３・・・ディスプレイ
１４・・・表示制御部
１５・・・操作部
１６・・・Ｂｌｕｅｔｏｏｔｈ通信部
４０・・・スケジュール表示画面
４１ａ、４１ｂ、４１ｃ、４１ｄ・・・録画番組アイコン
４２ａ、４２ｂ、４２ｃ、４２ｄ・・・スケジュールアイコン
４３・・・カーソル
４４・・・スケジュールウィンドウ
４５・・・メニューウィンドウ
７０・・・番組表
８０・・・表示画面
８１・・・カーソル
８２・・・メニューバルーンウィンドウ
１００・・・機器選択画面
１０１・・・カーソル
１２１・・・ｖＣａｌｅｎｄａｒデータ
１２２・・・スケジュールデータ
【図１】
2007221345.tif 000003
【図２】
2007221345.tif 000004
【図３】
2007221345.tif 000005
【図４】
2007221345.tif 000006
【図５】
2007221345.tif 000007
【図６】
2007221345.tif 000008
【図７】
2007221345.tif 000009
【図８】
2007221345.tif 000010
【図９】
2007221345.tif 000011
【図１０】
2007221345.tif 000012
【図１１】
2007221345.tif 000013
【図１２】
2007221345.tif 000014